(57)【要約】【課題】ろ過によって水を浄化しつつ、様々な状況に応じて最適な供給態様を提供することが可能な技術を提供する。【解決手段】純水ろ過システム１に、供給水を貯留する第１タンク２と、第１タンク２から導かれた供給水を逆浸透膜によってろ過することにより純水を製造するろ過装置６と、ろ過装置６によって製造された純水を貯留する第２タンク３と、ろ過装置６が純水を製造する過程で発生する排水を貯留する第３タンク４と、トイレに使用するトイレ水を貯留する第４タンク５と、第３タンク４に貯留された排水を第４タンク５に導く第５配管９５とを設ける。【選択図】図１
2014217797.tif 000002
【特許請求の範囲】
【請求項１】
供給水を貯留する第１タンクと、
前記第１タンクから導かれた供給水を逆浸透膜によってろ過することにより純水を製造するろ過装置と、
前記ろ過装置によって製造された純水を貯留する第２タンクと、
前記ろ過装置が前記純水を製造する過程で発生する排水を貯留する第３タンクと、
トイレに使用するトイレ水を貯留する第４タンクと、
前記第３タンクに貯留された排水を前記第４タンクに導くトイレ配管と、
を備える純水ろ過システム。
【請求項２】
請求項１に記載の純水ろ過システムであって、
水道供給口から供給される水道水を前記トイレ配管に導く水道配管と、
前記水道配管内の水圧を、前記第３タンク内における利用可能な状態の排水の水圧以下に下げる減圧弁と、
をさらに備える純水ろ過システム。
【請求項３】
請求項１または２に記載の純水ろ過システムであって、
前記トイレ配管には、前記第４タンクに至る経路内において蛇口が取り付けられている純水ろ過システム。
【請求項４】
請求項１ないし３のいずれかに記載の純水ろ過システムであって、
前記トイレ配管の前記第４タンクに至る経路内に取り付けられ、所定の水圧より大きな水圧がかかると開放する逃がし弁をさらに備える純水ろ過システム。
【請求項５】
請求項１ないし４のいずれかに記載の純水ろ過システムであって、
前記第２タンクは、蓄圧器を備える純水ろ過システム。
【請求項６】
請求項１ないし５のいずれかに記載の純水ろ過システムであって、
前記第３タンクは、蓄圧器を備える純水ろ過システム。
【請求項７】
請求項１ないし６のいずれかに記載の純水ろ過システムであって、
前記第１タンクには、断水時以外の通常状況において、水道供給口から水道水が供給水として供給される一方で、断水時には、水道水以外の水が供給水として供給される純水ろ過システム。
【発明の詳細な説明】
【技術分野】
【０００１】
本発明は、ろ過によって純水を製造する技術に関する。
【背景技術】
【０００２】
従来より、ろ過によって水を浄化する技術が知られている。このような技術が、例えば、特許文献１および特許文献２に記載されている。
【先行技術文献】
【特許文献】
【０００３】
【特許文献１】特開２０１１−２４５３７１号公報
【特許文献２】特開２０１２−０１６６９１号公報
【発明の概要】
【発明が解決しようとする課題】
【０００４】
ところが、従来の技術は、ろ過によって、いかに効率よく浄化された水を製造するかにのみ注視しており、様々な状況への対応方法については考察がされていないという問題があった。すなわち、状況に応じた水の効率的な利用についてはほとんど配慮されていないという問題があった。
【０００５】
本発明は、上記課題に鑑みてなされたものであり、ろ過によって水を浄化しつつ、様々な状況に応じて最適な供給態様を提供することが可能な技術を提供することを目的とする。
【課題を解決するための手段】
【０００６】
上記の課題を解決するため、請求項１の発明は、純水ろ過システムであって、供給水を貯留する第１タンクと、前記第１タンクから導かれた供給水を逆浸透膜によってろ過することにより純水を製造するろ過装置と、前記ろ過装置によって製造された純水を貯留する第２タンクと、前記ろ過装置が前記純水を製造する過程で発生する排水を貯留する第３タンクと、トイレに使用するトイレ水を貯留する第４タンクと、前記第３タンクに貯留された排水を前記第４タンクに導くトイレ配管とを備える。
【０００７】
また、請求項２の発明は、請求項１の発明に係る純水ろ過システムであって、水道供給口から供給される水道水を前記トイレ配管に導く水道配管と、前記水道配管内の水圧を、前記第３タンク内における利用可能な状態の排水の水圧以下に下げる減圧弁とをさらに備える。
【０００８】
また、請求項３の発明は、請求項１または２の発明に係る純水ろ過システムであって、前記トイレ配管には、前記第４タンクに至る経路内において蛇口が取り付けられている。
【０００９】
また、請求項４の発明は、請求項１ないし３のいずれかの発明に係る純水ろ過システムであって、前記トイレ配管の前記第４タンクに至る経路内に取り付けられ、所定の水圧より大きな水圧がかかると開放する逃がし弁をさらに備える。
【００１０】
また、請求項５の発明は、請求項１ないし４のいずれかの発明に係る純水ろ過システムであって、前記第２タンクは、蓄圧器を備える。
【００１１】
また、請求項６の発明は、請求項１ないし５のいずれかの発明に係る純水ろ過システムであって、前記第３タンクは、蓄圧器を備える。
【００１２】
また、請求項７の発明は、請求項１ないし６のいずれかの発明に係る純水ろ過システムであって、前記第１タンクには、断水時以外の通常状況において、水道供給口から水道水が供給水として供給される一方で、断水時には、水道水以外の水が供給水として供給される。
【発明の効果】
【００１３】
請求項１ないし７に記載の発明は、供給水を貯留する第１タンクと、第１タンクから導かれた供給水を逆浸透膜によってろ過することにより純水を製造するろ過装置と、ろ過装置によって製造された純水を貯留する第２タンクと、ろ過装置が前記純水を製造する過程で発生する排水を貯留する第３タンクと、トイレに使用するトイレ水を貯留する第４タンクと、第３タンクに貯留された排水を前記第４タンクに導くトイレ配管とを備えることにより、排水をトイレに使用することができる。
【図面の簡単な説明】
【００１４】
【図１】純水ろ過システムを示す図である。
【図２】第３タンク内に排水が貯留されている状態でトイレ水を使用した状態を示す図である。
【図３】第３タンク内に利用可能な排水が貯留されていない状態でトイレ水を使用した状態を示す図である。
【図４】第３タンク内の排水が満水となった状態を示す図である。
【発明を実施するための形態】
【００１５】
以下、本発明の好適な実施の形態について、添付の図面を参照しつつ、詳細に説明する。ただし、以下の説明において特に断らない限り、方向や向きに関する記述は、当該説明の便宜上、図面に対応するものであり、例えば実施品、製品または権利範囲等を限定するものではない。
【００１６】
＜１．  実施の形態＞
図１は、純水ろ過システム１を示す図である。純水ろ過システム１は、第１タンク２、第２タンク３、第３タンク４、第４タンク５およびろ過装置６を備えている。また、純水ろ過システム１は、蛇口７０，７１、逃がし弁８０、逆止弁８１，８２，８３および減圧弁８４を備えている。さらに、純水ろ過システム１は、第１配管９１、第２配管９２、第３配管９３、第４配管９４、第５配管９５（トイレ配管）、および、水道供給口に接続される水道配管９６，９７を備えている。
【００１７】
第１タンク２は、水道供給口に接続された水道配管９６により、当該水道供給口から供給される水道水を、純水ろ過システム１に対する供給水として貯留する。本実施の形態における第１タンク２は、２００［リットル］の容量を有しているが、もちろん、第１タンク２の容量はこれに限定されるものではない。
【００１８】
なお、詳細は図示していないが、水道配管９６の第１タンク２側の端部には、例えば、ボールタップが接続されている。このような構成により、純水ろ過システム１は、第１タンク２内の供給水が満水となると、ユーザによる特別な操作がなくても、自動的に、水道配管９６が遮断され、第１タンク２内への水道水の供給が停止される。一方で、第１タンク２内の供給水が減少したときには、自動的に、水道配管９６が開放され、第１タンク２内への水道水の供給が開始される。これにより、純水ろ過システム１は、ユーザによる操作を必要とすることなく、通常状況（水道水が平常通り供給されている状況。すなわち、断水時以外の状況）において、第１タンク２内に一定量（本実施の形態においては、２００［リットル］。）の供給水を常に貯留させておくことができる。
【００１９】
また、以下の説明では、水道水の水圧を、「水道水圧Ｐn」と称する。
【００２０】
また、断水時（水道水の供給が停止している状態）には、第１タンク２は、河川の水や井戸水、風呂水（湯船に貯めておかれた水）などを供給水として貯留することも可能である。水道水以外の水を供給する手法としては、例えば、水道配管９６を水道供給口から取り外して、代わりに大型の漏斗等を接続し、それらを介して水道水以外の水を第１タンク２内に供給してもよい。あるいは、予め第１タンク２に緊急時用の蓋部を設けておき、当該蓋部を取り外して、直接、バケツ等で水を第１タンク２内に汲み入れてもよい。
【００２１】
第２タンク３は、ろ過装置６によって製造された純水を貯留する。本実施の形態における第２タンク３は、４０［リットル］の容量を有しているが、もちろん、第２タンク３の容量はこれに限定されるものではない。
【００２２】
第２タンク３の供給口には、第２配管９２が接続されている。第２配管９２の上流側には、ろ過装置６の純水吐出口が接続されている。これにより、ろ過装置６で製造された純水は、第２配管９２に導かれて第２タンク３内に貯留される。
【００２３】
第２タンク３の吐出口側には、第３配管９３が接続されており、当該第３配管９３には蛇口７１が接続されている。すなわち、第２タンク３に貯留された純水は、ユーザが蛇口７１を操作することにより、純水ろ過システム１（第３配管９３）の外部に取り出され、利用される。
【００２４】
また、第２タンク３は、内部に蓄圧器３０を備える。これにより、ポンプ等を動作させることのできない停電時においても、蓄圧器３０に蓄えられた圧力によって第２タンク３内の純水を蛇口７１から取り出し、利用することができる。
【００２５】
第３タンク４は、ろ過装置６が純水を製造する過程で発生する排水を貯留する。本実施の形態における第３タンク４は、４０［リットル］の容量を有しているが、もちろん、第３タンク４の容量はこれに限定されるものではない。
【００２６】
第３タンク４の供給口には、第４配管９４が接続されている。第４配管９４の下流側には、ろ過装置６の排水吐出口が接続されている。これにより、ろ過装置６で純水を製造する過程で発生した排水は、第４配管９４に導かれて第３タンク４内に貯留される。
【００２７】
第３タンク４の吐出口側には、第５配管９５が接続されており、第５配管９５の上流側には、第４タンク５が接続されている。詳細は後述するが、第４タンク５に貯留された水は、トイレの水洗に使用される。
【００２８】
また、第３タンク４は、第２タンク３内の蓄圧器３０と同様の構成として、内部に蓄圧器４０を備える。以下の説明では、第３タンク４内の水圧を「排水圧Ｐo」と称する。排水圧Ｐoは、満水状態のときに最高値となり、空状態のときに最低値となる。すなわち、排水圧Ｐoは、一般的には、第３タンク４内の水量に応じて変化する値である。以下の説明では、第３タンク４内に利用可能な排水が存在する場合における排水圧Ｐoの最低値を、特に「排水圧minＰo」と称する。すなわち、蓄圧器４０は、第３タンク４内の排水に、排水圧minＰo以上の水圧を生じさせる機能を有している。
【００２９】
このように、第３タンク４内の排水には、蓄圧器４０により少なくとも排水圧minＰo以上の水圧が生じることになる。これにより、純水ろ過システム１は、ポンプ等を動作させることのできない停電時においても、蓄圧器４０に蓄えられた水圧（少なくとも排水圧minＰo）によって第３タンク４内の排水を第４タンク５に向けて取り出し（または、蛇口７０から取り出し）、利用することができる。
【００３０】
第４タンク５は、トイレに使用するトイレ水を貯留する。第４タンク５には、第３タンク４に貯留された排水を第４タンク５に導く第５配管９５（トイレ配管）が接続されている。これにより、第４タンク５には、トイレ水として、第３タンク４から排水が供給される。
【００３１】
家庭用の水洗トイレにおいては、トイレ水として水道水を使用することが一般的である。しかし、純水ろ過システム１は、純水を製造する過程で発生した排水を第４タンク５に貯留しておき、トイレ水として用いることができる。したがって、当該排水を有効に利用することが可能である。
【００３２】
なお、図１に示すように、第５配管９５には、水道配管９７が接続されている。詳細は後述するが、第５配管９５は、排水の他に、水道供給口から水道配管９７によって導かれる水道水を第４タンク５に導く機能も有している。すなわち、純水ろ過システム１は、排水が不足したときには、代わりに水道水をトイレ水として使用することができるように設計されている。
【００３３】
ろ過装置６は、第１配管９１により第１タンク２から導かれた供給水を逆浸透膜（図示せず）によってろ過することにより純水を製造する。ろ過装置６は、商用電源に接続するためのプラグ（図示せず）を備えており、通常時は商用電源から供給される電力によって駆動する。ただし、商用電源の停電時のための備えとして、例えば、自動車のシガーライターから電力の供給を受けることが可能となるように、当該シガーライターに接続可能な端子を備えていてもよい。
【００３４】
なお、ろ過装置６が逆浸透膜によって純水を製造するための構造および方法は、従来の技術を適宜採用することが可能であるため、詳細な説明は省略する。
【００３５】
純水ろ過システム１において、ろ過装置６によって製造された純水は、純水吐出口に接続された第２配管９２により第２タンク３に向けて送出される。また、純水を製造する過程で発生した排水は、排水吐出口に接続された第４配管９４により第３タンク４に向けて送出される。
【００３６】
蛇口７０は、詳細は図示しないが、ユーザの操作により、閉栓および開栓が可能な構造を有している。蛇口７０は、第５配管９５（トイレ配管）の、第４タンク５に至る経路内に取り付けられている。これにより、ユーザは、蛇口７０を操作することによって、蛇口７０から排水を純水ろ過システム１（第５配管９５）の外部に取り出すことができる。したがって、ユーザは、状況に応じて、排水をトイレの水洗以外の目的にも使用することができる。
【００３７】
なお、水道水を供給水として純水を製造したときの排水は、元が水道水であるであるため、緊急時には飲用も可能である。一方、断水時に水道水以外の非飲用水を供給水として供給した場合は、排水を飲用することはできない。しかし、この場合であっても、排水をトイレ水や散水として使用することは可能である。
【００３８】
蛇口７１は、詳細は図示しないが、蛇口７０と同様に、ユーザの操作によって、閉栓および開栓が可能な構造を有している。蛇口７１は、例えば、台所のシンクなどに配置される。蛇口７１は、ろ過装置６において製造され、第２タンク３内に貯留された純水を吐出する。
【００３９】
蛇口７１から排出されるのは、ろ過装置６によってろ過された純水であるため、供給水が水道水の場合はもちろん、供給水が水道水以外の非飲用水の場合も、飲用することが可能である。すなわち、純水ろ過システム１は、断水時にも、水道水以外の非飲用水から、飲用水（純水）を製造することが可能である。
【００４０】
逃がし弁８０は、第５配管９５の第４タンク５に至る経路内に取り付けられる。詳細は後述するが、逃がし弁８０は、所定の水圧（以下、「作動水圧Ｐm」と称する。）より大きい水圧がかかると開放するように設定されている。これにより、第３タンク４が満水となり、第５配管９５内が作動水圧Ｐmを超える状態となったときに、自動的に、排水を外部に排出することができる。すなわち、純水ろ過システム１において、排水圧Ｐoは、逃がし弁８０によって、その最高値（第３タンク４が満水時の水圧、以下、「排水圧maxＰo」と称する。）が作動水圧Ｐm以下となるように構成されている（作動水圧Ｐm≧排水圧Ｐo）。
【００４１】
逆止弁８１，８２，８３は、いずれも、取り付けられている位置において、配管内の液体（本実施の形態では、水道水や排水）を一方向にのみ通過させるように機能する弁である。
【００４２】
逆止弁８１は、第４配管９４に取り付けられており、第４配管９４内の排水が第３タンク４に向かう方向にのみ流れるように規制する。すでに説明したように、第３タンク４内には蓄圧器４０が設けられており、第３タンク４内には、排水圧Ｐoが生じている。しかし、第４配管９４内に逆止弁８１が設置されているため、第３タンク４に貯留された排水が、排水圧Ｐoによって、ろ過装置６側に逆流することを防止することができる。
【００４３】
逆止弁８２は、第５配管９５に取り付けられており、第５配管９５内の排水が第４タンク５に向かう方向にのみ流れるように規制する。すなわち、逆止弁８２は、水道供給口から第４タンク５に向けて供給された水道水や、第３タンク４から一旦送出された排水が、第５配管９５を介して第３タンク４側に逆流することを防止する。
【００４４】
逆止弁８３は、水道配管９７に取り付けられており、水道配管９７内の水道水が第４タンク５に向かう方向にのみ流れるように規制する。すなわち、逆止弁８３は、第４タンク５に向けて供給された水道水や排水が、水道供給口側に逆流することを防止する。
【００４５】
減圧弁８４は、水道供給口から供給される水道水の水道水圧Ｐnを、所定の水圧（以下、「減水圧Ｐp」と称する。）に下げる機能を有している。すなわち、減圧弁８４により、水道配管９７内の水道水の水圧は、水道水圧Ｐnから減水圧Ｐpに減圧される。
【００４６】
以上が、純水ろ過システム１の構造および機能の説明である。次に、純水ろ過システム１を用いて、状況に応じた供給水の効率的な利用方法について説明する。なお、以下では、３．５［Kg/cm2］＝水道水圧Ｐn＝作動水圧Ｐm＞排水圧minＰo＞減水圧Ｐp＝２．０［Kg/cm2］として説明する。また、ろ過装置６からの排水の水圧は、６．５［Kg/cm2］とする。ただし、これらの数値は、ここに示す数値に限定されるものではなく、これらの数値はあくまでも例示である。
【００４７】
まず、断水時以外の状態においては、水道供給口から供給された水道水が水道配管９６によって導かれて第１タンク２に供給水として貯留される。
【００４８】
ろ過装置６が逆浸透膜によって第１タンク２から導かれた供給水をろ過して純水を製造すると、製造された純水は第２配管９２を通って第２タンク３に貯留される。なお、本実施の形態におけるろ過装置６は、純水が使用されて、第２タンク３内の純水が減少したときに、これを検出して作動する。すなわち、純水ろ過システム１では、使用された分の純水を補うようにろ過装置６が駆動されるため、第２タンク３には、常時（第１タンク２内の供給水が空状態でない限り）、４０［リットル］の純水が貯留される。
【００４９】
純水を製造したことにより第１タンク２内の水道水が減ると、第１タンク２内の図示しないボールタップが開放し、減少分の水道水が速やかに供給される。したがって、断水時以外の状態において（水道供給口から水道水が供給される状態である限り）、純水ろ過システム１の第１タンク２には、常時、２００［リットル］の水道水が貯留される。
【００５０】
第３タンク４内に貯留されている排水は、蓄圧器４０により加圧され、その水圧は排水圧Ｐoとなっている。しかし、ろ過装置６から送出される排水の水圧は、６．５［Kg/cm2］であり、ろ過装置６から送出される排水の水圧の方が第３タンク４内の排水の水圧より高い。したがって、純水を作ることによってできた排水は、ろ過装置６から第３タンク４に向けて流れ、第３タンク４内に貯留される。
【００５１】
なお、ろ過装置６が作動していない状態において、第４配管９４内の水圧は６．５［Kg/cm2］より下がるおそれもある。しかし、逆止弁８１が設置されているため、一旦、第３タンク４内に貯留された排水がろ過装置６側に逆流することはない。
【００５２】
図２は、第３タンク４内に排水が貯留されている状態でトイレ水を使用した状態を示す図である。
【００５３】
先述のように、第３タンク４内に貯留されている排水は、蓄圧器４０により加圧され、その水圧は最低値でも排水圧minＰoとなっている。したがって、第３タンク４内に排水が貯留されている状態においては、第５配管９５内の排水の水圧も排水圧minＰo以上となっている。また、第５配管９５に接続されている水道配管９７内の水道水の水圧は、減圧弁８４により減水圧Ｐp（２．０［Kg/cm2］）に減圧されている。すなわち、第３タンク４内に利用可能な排水が貯留されている状態においては、第５配管９５内の水圧の方が、第５配管９５に接続されている水道配管９７内の水圧より高い状態となっている。したがって、トイレを使用することにより第４タンク５内の水量が減ると、第３タンク４内の排水が第５配管９５を通って、第４タンク５内に流れ込むことになる。
【００５４】
このように、第３タンク４内に利用可能な排水が貯留されている状態においては、第３タンク４から導かれた排水が、水道水に優先して第４タンク５内に導かれる。なお、水道配管９７には逆止弁８３が設置されているので、水圧の高い第５配管９５から水圧の低い水道配管９７に向けて排水が流れ込むことはない。
【００５５】
図３は、第３タンク４内に利用可能な排水が貯留されていない状態でトイレ水を使用した状態を示す図である。
【００５６】
第３タンク４内に利用可能な排水が貯留されていない状態では、第３タンク４内の水圧はさらに下がって、いずれ減水圧Ｐpより低くなる。そのような状態で、トイレを使用することにより第４タンク５内の水量が減ると、水道供給口から供給された水道水が水道配管９７を通って、第４タンク５内に流れ込むことになる。
【００５７】
このように、第３タンク４内に利用可能な排水が貯留されていない状態においては、水道配管９７によって導かれた水道水が、第４タンク５内に導かれる。したがって、第３タンク４内に利用可能な排水が貯留されていない状態においても、水道水が供給されている限り、ユーザはトイレを使用することができる。なお、第５配管９５には逆止弁８２が設置されているので、水圧の高い水道配管９７から水圧の低い第５配管９５に向けて排水が流れ込むことはない。
【００５８】
図４は、第３タンク４内の排水が満水となった状態を示す図である。
【００５９】
第３タンク４内の排水が満水となると、排水圧Ｐoが上昇し、ついには作動水圧Ｐmを超える状態となる。排水圧Ｐoが作動水圧Ｐmを超えると、逃がし弁８０が開栓状態となり、逃がし弁８０から排水が排出され、排水圧Ｐoが低下する。そして、再び、排水圧Ｐoが作動水圧Ｐmを下回ると、逃がし弁８０が閉栓状態となって、逃がし弁８０からの排出が停止する。
【００６０】
これにより、純水ろ過システム１において、排水圧Ｐoは、作動水圧Ｐm以下に保たれる。なお、本実施の形態では、水道水圧Ｐn＝作動水圧Ｐmとなるように逃がし弁８０が構成されている。したがって、排水圧Ｐoは水道水圧Ｐn以下に抑制されており、純水ろ過システム１において、水道水と同等の使い勝手で、排水を使用することができる。例えば、蛇口７０として水道用に流通している一般的な蛇口（市販品）を流用することができる。
【００６１】
次に、水道水の供給が停止したとき（断水時）について説明する。
【００６２】
断水した瞬間において、純水ろ過システム１は、第１タンク２内に供給水を２００［リットル］貯留しており、第２タンク３内に純水を４０［リットル］貯留している。また、純水ろ過システム１は、第３タンク４内にも排水を貯留することが可能である。ここで、通常時に第１タンク２内に貯留した供給水は水道供給口から供給された「水道水」であるため、飲用も可能である。また、通常時に第３タンク４内に貯留した排水も元が水道水であるため、非常時には飲用も可能である。ただし、第３タンク４内の排水は、通常時において必ずしも満水状態に保たれているわけではないので、最悪の場合には、第３タンク４内の排水が空状態ということもあり得るが、最大では４０［リットル］貯留しておくことが可能である。
【００６３】
したがって、純水ろ過システム１は、断水した瞬間において、飲用することも可能な水を２４０ないし２８０［リットル］貯留している。すなわち、純水ろ過システム１は、災害時等に備えて、これらの量の水を備蓄しておくことが可能である。
【００６４】
断水状態が長期間継続し、備蓄しておいた水を使い切った後、ユーザは純水ろ過システム１に対する供給水として、河川の水や井戸水、風呂水等を採用することができる。具体的には、これらの水を汲んできて第１タンク２内に投入し、ろ過装置６を駆動させれば、純水が製造されて、第２タンク３内に貯留される。このとき、第２タンク３および第３タンク４内には、それぞれ蓄圧器３０，４０が設置されているので、これらのタンク内の水を取り出すためのポンプを駆動させる必要はない。
【００６５】
したがって、ユーザは、備蓄しておいた水を使い切った後であっても、ろ過装置６の電源さえ確保すれば、非飲用水から飲料水（純水）を得ることができる。また、このとき、純水の製造過程で発生する排水も無駄にすることなく、トイレ水や風呂水、散水等として利用可能である。
【００６６】
一般に、災害時におけるライフラインにおいて、水の確保は、体積や重量の面から、電力やガス、通信網等に比べて問題が深刻化しやすい。また、災害時においては、水道の復旧よりも、商用電源の復旧の方が早いという事情もある。しかし、純水ろ過システム１を設置しておくことにより、ユーザは、給水車等に頼ることなく、短期的には備蓄水によって飲用水の確保が可能であり、その後も比較的早期に復旧することが期待できる商用電源によって飲用水の確保が可能である。さらに、純水ろ過システム１は、ろ過装置６の駆動電力のみで純水を製造することができるため、乗用車のシガーライターや発電機といった電源を利用可能に構成しておくことにより、商用電源が復旧する以前にも早期対応可能である。
【００６７】
以上のように、本実施の形態における純水ろ過システム１は、供給水を貯留する第１タンク２と、第１タンク２から導かれた供給水を逆浸透膜によってろ過することにより純水を製造するろ過装置６と、ろ過装置６によって製造された純水を貯留する第２タンク３と、ろ過装置６が純水を製造する過程で発生する排水を貯留する第３タンク４と、トイレに使用するトイレ水を貯留する第４タンク５と、第３タンク４に貯留された排水を第４タンク５に導く第５配管９５とを備える。これにより、純水を製造しつつ、純水を製造する過程で発生する排水をトイレに使用することができる。したがって、排水を無駄にすることなく、効率的に使用することができる。
【００６８】
また、水道供給口から供給される水道水を第５配管９５に導く水道配管９７と、水道配管９７内の水圧を、第３タンク４内における利用可能な状態の排水の水圧以下に下げる減圧弁８４とをさらに備える。これにより、排水が利用可能な状況においては排水を第４タンク５に導く一方で、第３タンク４内に利用可能な排水がなくなったときには、水道水を第４タンク５に導くことができる。したがって、排水を優先的にトイレ水として使用しつつ、排水が欠乏したときでも、水道水をトイレ水として使用することができる。
【００６９】
また、第５配管９５には、第４タンク５に至る経路内において蛇口７０が取り付けられている。これにより、排水を蛇口７０から取り出すことで、トイレ以外の目的にも排水を使用できる。
【００７０】
また、第５配管９５の第４タンク５に至る経路内に取り付けられ、所定の水圧より大きな水圧がかかると開放する逃がし弁８０をさらに備える。これにより、第３タンク４が満水となり、所定の水圧を超えたときに、自動的に、排水を排出することができる。したがって、水圧を所定の水圧以下に抑制することができる。
【００７１】
また、第２タンク３は、蓄圧器３０を備えることにより、ポンプ等を動作させることのできない停電時においても、蓄圧器３０に蓄えられた圧力によって第２タンク３内の純水を取り出し、利用することができる。
【００７２】
また、第３タンク４は、蓄圧器４０を備えることにより、ポンプ等を動作させることのできない停電時においても、蓄圧器４０に蓄えられた圧力によって第３タンク４内の排水を取り出し、利用することができる。
【００７３】
また、第１タンク２には、断水時以外の通常状況において、水道供給口から水道水が供給水として供給される一方で、断水時には、水道水以外の水が供給水として供給される。これにより、通常状況において、第１タンク２、第２タンク３および第３タンク４に飲料水を確保しておくことができる。また、断水時には、水道水以外の水から純水を製造して第２タンク３に飲料水として貯留することができるとともに、排水をトイレ水としても使用することができる。
【００７４】
＜２．  変形例＞
以上、本発明の実施の形態について説明してきたが、本発明は上記実施の形態に限定されるものではなく様々な変形が可能である。
【００７５】
例えば、上記実施の形態では、蛇口７１から純水を吐出させて利用するとして説明した。しかし、第２タンク３内などにおいて、天然ミネラルなどを添加することにより、蛇口７１からミネラル水を吐出させるように構成してもよい。すなわち、ユーザの用途に応じて適宜添加物等を加えてもよく、必ずしも純水のままで利用しなくてもよい。また、湯沸かし器やボイラーに導いて、加熱し、お湯として利用してもよい。
【００７６】
また、上記実施の形態では、供給水を逆浸透膜によりろ過する手法のみについて説明した。しかし、例えば、ろ過装置６（逆浸透膜）の上流側において、活性炭による不純物の吸着や、繊維フィルターによる不純物のろ過等を行ってもよい。すなわち、逆浸透膜によるろ過に加えて、他の浄化方法を重畳的に組み込んでもよい。
【００７７】
また、上記実施の形態では、第３タンク４内の排水を、トイレ水としても、蛇口７０から取り出して利用する水としても同等に利用可能として説明した。すなわち、排水圧Ｐoは、最低値の排水圧minＰoにおいても減水圧Ｐpより高いとして説明した。しかし、例えば、最低値の排水圧minＰoが減水圧Ｐpより低くなるように構成してもよい（すなわち、そのように蓄圧器４０を構成してもよい。）。このように構成した場合において、第３タンク４内の排水が減少して排水圧Ｐoが減水圧Ｐpより低くなった状態でトイレを使用すると、排水ではなく水道水がトイレ水として利用されることになる。すなわち、このときの第３タンク４内の排水はトイレ水としては利用不可である。ただし、この場合でも、蛇口７０を操作すれば、第３タンク４内の排水は、排水圧Ｐoにより取り出して利用することは可能であり、トイレ水以外の用途としては利用可能である。
【００７８】
また、上記実施の形態では、ろ過装置６は、第２タンク３内の純水が減少したときに作動すると説明した。しかし、第３タンク４内の排水が減少したときにもろ過装置６が作動するように構成してもよい。その場合、第２タンク３内の純水が満水であれば、供給水をろ過して純水を製造することなく、第３タンク４に向けて供給水をそのまま送出してもよい。このように構成することにより、常時、第３タンク４も満水状態とすることができ、緊急時に使用可能な水をより多く確保しておくことができる。
【００７９】
また、上記実施の形態では、純水ろ過システム１が備える第２タンク３あるいは第３タンク４をそれぞれ１つだけ示したが、これらを複数備えるように構成してもよい。あるいは、状況に応じて、増設可能に構成してもよい。
【００８０】
さらに、純水ろ過システム１に、自動的に（あるいは定期的に）内部の水を排出する排出装置を取り付け、システム内に貯留している水を交換するようにしてもよい。これにより、長期間にわたって水がシステム内に貯留され続けることを防止することができ、例えば、水質が悪化した水の誤飲を防止することができる。
【符号の説明】
【００８１】
１  純水ろ過システム
２  第１タンク
３  第２タンク
３０，４０  蓄圧器
４  第３タンク
５  第４タンク
６  ろ過装置
７０，７１  蛇口
８０  逃がし弁
８１，８２，８３  逆止弁
８４  減圧弁
９１  第１配管
９２  第２配管
９３  第３配管
９４  第４配管
９５  第５配管（トイレ配管）
９６，９７  水道配管
【図１】
2014217797.tif 000003
【図２】
2014217797.tif 000004
【図３】
2014217797.tif 000005
【図４】
2014217797.tif 000006